(57)【要約】【課題】多様なルアーアクションを実現し、釣り状況変化等に有効に対応可能な釣り用ルアーを提供する。【解決手段】小魚を模した外観形状となるように形成されたルアーボディ１１を有する。ルアーボディ１１の前端部に上下に回動可能な下顎部１７を有し、この下顎部１７の回動角度を調整可能にする。下顎部１７はその基部にてルアーボディ１１に軸支され、その支軸の周囲に下顎部１７の回動角度を制御する角度調整機構を有する。【選択図】図２
2008113628.tif 000002
【特許請求の範囲】
【請求項１】
小魚を模した外観形状となるように形成されたルアーボディを有する釣り用ルアーであって、
前記ルアーボディの前端部に上下に回動可能な下顎部を有し、この下顎部の回動角度を調整可能にしたことを特徴とする釣り用ルアー。
【請求項２】
前記下顎部はその基部にて前記ルアーボディに軸支され、その支軸の周囲に前記下顎部の回動角度を制御する角度調整機構を有することを特徴とする請求項１に記載の釣り用ルアー。
【請求項３】
前記角度調整機構は、前記支軸の周囲で前記下顎部に一体形成されたギア部と、このギア部に係合するように前記ルアーボディに保持された係止片とを含むことを特徴とする請求項２に記載の釣り用ルアー。
【請求項４】
前記ルアーボディ前端の口部から取入れた水を、鰓部下側に設けた排水口より排水するように水を流通させることを特徴とする請求項１〜３のいずれか１項に記載の釣り用ルアー。
【発明の詳細な説明】
【技術分野】
【０００１】
本発明は、釣り用ルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
例えば浮かぶルアーとして通常、その形状によってペンシルベイト、ポッパー及びスプラッシャー等と呼ばれるタイプのルアーが知られている。ペンシルベイトは口部に所謂カップを持たない形状をし、ロッドワークによってルアーに左右に首を振らせる動き（ルアーアクション）をさせるようになっている。なお、口部にカップがあるとこのカップで水を受けてしまい、水面付近を滑るような動きをさせることができない。
【０００４】
また、ポッパーは所謂カップを持ったタイプのルアーであり、ロッドワークによりルアーを直線的に引くことにより水を掴んで泡や音を発生させることができる。
スプラッシャーはポッパータイプよりも大きなルアーボディを持ち、カップ又は前頭部で水を跳ね上げさせることができる。このスプラッシャータイプによれば、より大きな水音を発生させることが可能である。
【０００５】
釣糸を係止するアイレットを備えたリップをピッチ方向に回動自在に取り付けたルアーが開示されている。
【０００６】
【特許文献１】特開２００３−１１３４７９号公報
【発明の開示】
【発明が解決しようとする課題】
【０００７】
ところで、上述したルアーはそれぞれ優れた機能あるいは作用効果を有しているが、各タイプ固有のものである。例えば特に、基本的なルアーアクションはタイプ毎に決まってしまい、そのためルアーの使用可能範囲は制限されてしまう。
【０００８】
本発明はかかる実情に鑑み、多様なルアーアクションを実現し、釣り状況変化等に有効に対応可能な釣り用ルアーを提供することを目的とする。
【課題を解決するための手段】
【０００９】
本発明の釣り用ルアーは、小魚を模した外観形状となるように形成されたルアーボディを有する釣り用ルアーであって、前記ルアーボディの前端部に上下に回動可能な下顎部を有し、この下顎部の回動角度を調整可能にしたことを特徴とする。
【００１０】
また、本発明の釣り用ルアーにおいて、前記下顎部はその基部にて前記ルアーボディに軸支され、その支軸の周囲に前記下顎部の回動角度を制御する角度調整機構を有することを特徴とする。
また、本発明の釣り用ルアーにおいて、前記角度調整機構は、前記支軸の周囲で前記下顎部に一体形成されたギア部と、このギア部に係合するように前記ルアーボディに保持された係止片とを含むことを特徴とする。
また、本発明の釣り用ルアーにおいて、前記ルアーボディ前端の口部から取入れた水を、鰓部下側に設けた排水口より排水するように水を流通させることを特徴とする。
【発明の効果】
【００１１】
本発明によれば、下顎部の回動角度を角度調整機構によって制御し、最適なルアーアクション特性を設定することができ、釣り状況に迅速に対応することが可能になる。即ち、タイプの異なるルアーを単一のルアーによって実現することができる。
【発明を実施するための最良の形態】
【００１２】
以下、本発明による釣り用ルアーの好適な実施の形態について、添付図面に基づいて詳細に説明する。
図１は、この実施形態における釣り用ルアー１０の例を示している。なお、図１（ａ）は側面図、図１（ｂ）は底面図、図１（ｃ）は正面図である。図において、１１はルアーボディであり、このルアーボディ１１は合成樹脂等の材料により小魚に似せた外観形状となるように形成されている。この場合、ルアーボディ１１の長手方向（前後方向）に沿って二分した左右２つのボディハーフを相互に当接させることで一体化し、中空構造を有する。
【００１３】
図１から明らかなように前後に細長い形態を有し、基本的に水面もしくは水面付近に浮かせて使用する。その使用に際して、ルアーボディ１１の先端上部に連結した釣糸を引くことで、水面表層部付近でルアー１０の派手なルアーアクションを行わせるようになっている。
【００１４】
この例ではルアーボディ１１の中程（腹部）及び後端部にフロントフック（釣針）１２及びリヤフック１３を有する。これらのフロントフック１２及びリヤフック１３はそれぞれ、ルアーボディ１１に係止されたフックハンガ１４，１５によって取付支持される。更に必要に応じて、ルアーボディ１１の内部に通常、金属製のバランスウェイト１６が内蔵される。このバランスウェイト１６として、ルアーボディ１１の所定部位に固定されるもの、あるいはルアーボディ１１の長手方向に沿って移動可能なものがなど単数あるいは複数個含んでよい。
【００１５】
本発明のルアー１０において特に、ルアーボディ１１の前端部に上下に回動可能（図１（ａ）、矢印Ａ）な下顎部１７を有する。そして、この下顎部１７は後述するように、その回動角度が調整可能になっている。なお、下顎部１７は典型的にはルアーボディ１１と同材質の合成樹脂材料により形成される。また、下顎部１７の塗装色としては、好適にはルアーボディ１１と同色に塗装される。
【００１６】
ここで、ルアーボディ１１の前端には前方に向けて拡開するように形成された口部１８が設けられ、下顎部１７が上方に回動すると口部１８が略閉じた状態となる。この状態では図１のように、頭部１９まわりは略先細にコンパクトにまとまった形態となる。口部１８の周縁内側は凹陥状に形成され、口部１８の上部後方に頭部１９が連設される。なお、頭部１９内は空洞になっているが、頭部１９より下後方へ向けて左右に適度に張り出すように鰓部２０が形成されている。
【００１７】
次に、図２及び図３を参照して下顎部１７まわりの構成例について説明する。この実施形態のルアー１０において、下顎部１７はその基部にてルアーボディ１１に軸支され、その支軸の周囲に下顎部１７の回動角度を制御する角度調整機構を有する。
【００１８】
下顎部１７の具体的構成において、例えば概してシャベルもしくはスプーン状に湾曲形成されており、その中央部には前後方向に沿って上下に突出形成された突状部１７ａ，１７ｂを有する。基部は概略円柱状あるいは太鼓状に形成され、基部の中央部にて左右両側に支軸１７ｃが突出形成される。支軸１７ｃは、ルアーボディ１１に形成された軸受孔（図示せず）に嵌合し、これにより下顎部１７は支軸１７ｃを介して回動可能に支持される。
【００１９】
前述したように下顎部１７は、その回動角度が角度調整機構によって制御される。この実施形態において、角度調整機構は、支軸１７ｃの周囲で下顎部１７（の基部）に一体形成されたギア部２１と、このギア部２１に係合するようにルアーボディ１１に保持された係止片２２とを含んでいる。なお、係止片２２は典型的には合成樹脂材料や金属等により形成される。
【００２０】
ギア部２１は、下顎部１７の基部の外周の一部に形成される。この例では基部の後下部においてθ＝９０°程度の範囲に設けられる。ギア部２１の歯の大きさやピッチ等は必要に応じて適宜設定される。係止片２２は、くさび状あるいは先細の薄へら状に形成され、適度な柔軟性と剛性を有している。係止片２２の基部２２ａは、概略角柱状に形成され、ルアーボディ１１に形成された保持部２３（図２参照）に嵌合保持される。係止片２２は実質的に片持ち式に支持され、先端側は適度に撓むことができるようになっている。
【００２１】
ギア部２１の一端にはストッパ２４が付設されている。一方、ルアーボディ１１側にはストッパ２４が当接可能な突部２５が形成されており、下顎部１７の回動時には該ストッパ２４が突部２５に当接するようになっている（図２（ｃ）参照）。また、ストッパ２４は図３（ｂ）のように、下顎部１７の回動反対端で係止片２２（の先端部）とも当接するようになっている。
【００２２】
上記の場合、ルアーボディ１１前端の口部１８から取入れた水を、鰓部２０の下側に設けた排水口２６より排水するように水を流通させることができるようになっている。例えば図１に示されるように、口部１８内の適所に取水口２７を開設し、この取水口２７を排水口２６と連通させる。更に、口部１８の直後付近に第２の排水口２８を設けることもできる。これらの排水口２６，２８から水を排出することで、気泡や音を発生させることにより集魚効果を得ることができる。
【００２３】
本発明の釣り用ルアーにおいて、キャスティングされたルアー１０は着水後、釣糸を引くことで水面付近で遊泳し、その際釣糸の引き加減あるいは水流の加減で、ルアーボディ１の遊泳状態を緩急制御することができる。
【００２４】
ルアー１０を遊泳させると、先ず口部１８まわりで水流を受けるが、下顎部１７は前述したように回動角度が調整可能である。下顎部１７の回動角度を変化させることにより、ルアー１０の水流の受け方を変化させることができる。例えば、図２（ａ）のように下顎部１７を上方に回動すると、下顎部１７が口部１８を塞ぐ状態となり、この状態では口部１８及び頭部１９まわりは略先細にコンパクトにまとまった形態となる。このとき水流抵抗は比較的小さくなり、スピーディなルアーアクションが可能となる。
【００２５】
一方、図２（ａ）の状態から下顎部１７を下方に回動することで、図２（ｂ）更には図２（ｃ）に示されるように、下顎部１７及び口部１８を含めたルアーボディ１１の先端部が次第に拡がり、口を開けた状態になる。この状態で釣糸を引くと、下顎部１７及び口部１８まわりで水流を受けて水飛沫を生じさせる。なお、釣糸の引き加減で水飛沫の生じ方を制御することができる。水飛沫を発生しながらルアー１０が遊泳することで小気泡を形成したり、あるいは水音を発生し、これにより対象魚に対する高い集魚効果を得ることができる。
【００２６】
図２（ｂ）の状態では下顎部１７が適度に開き、更に図２（ｃ）のように下顎１７が最も開いた状態ではルアー１０の遊泳中に有効に水を掴み、所謂、滑りのない遊泳を実現してルアー１０を目標とするポイントに的確に移動させ易くする。このように下顎部１７の回動角度を角度調整機構によって制御することで、最適なルアーアクション特性を設定することができ、釣り状況に迅速に対応することが可能になる。即ち、ペンシルベイト、ポッパー及びスプラッシャー等のタイプの異なるルアーを単一のルアー１０によって実現することができる。
【００２７】
上記のように角度調整機構によって下顎部１７の回動角度を調整する際、係止片２２がギア部２１に係合することで下顎部１７を所望の角度に的確に設定保持することができる。また、下顎部１７の回動時、係止片２２が適度に撓んでギア部２１の歯を乗り越え、その後所望の歯と係合して下顎部１７を固定することができる。回動ストローク両端ではストッパ２４が係止片２２又は突部２５と当接してその回動動作を規制する。
【００２８】
更に、下顎部１７にギア部２１が一体化しており、これらの部材は典型的にはルアーボディ１１と同一材質の合成樹脂製である。ルアーボディ１１と同色に塗装することで、別部品であるという違和感がなく、優れた外観特性を有する。また、係止片２２も合成樹脂製であり、同様な理由から目立ち難い外観構成となり、同時に軽量化に寄与する。
【００２９】
角度調整機構の下顎部１７及びギア部２１の係合構造において、合成樹脂製であることから適度な弾性及び柔軟性を有している。例えば特にキャスティング時等に下顎部１７が障害物等に衝突しても破損し難く、対衝撃性に優れた構造となっている。
【００３０】
なお、本発明の好適な実施形態を説明したが、本発明は上述した実施形態にのみ限定されるものではなく、必要に応じて適宜変更等が可能である。
例えば、下顎部１７等の材質等につき、金属製あるいはカーボン製とすることも可能である。また、下顎部１７を大きくすることで水流抵抗を更に受け易くするようにしてもよい。
【図面の簡単な説明】
【００３１】
【図１】本発明の実施形態に係る釣り用ルアーの側面図、底面図及び正面図である。
【図２】本発明の実施形態に係る下顎部角度調整機構の動作を説明する図である。
【図３】本発明の実施形態に係る下顎部角度調整機構の構成例を示す図である。
【符号の説明】
【００３２】
１０  ルアー
１１  ルアーボディ
１２  フロントフック
１３  リヤフック
１６  バランスウェイト
１７  下顎部
１８  口部
１９  頭部
２０  鰓部
２１  ギア部
２２  係止片
２３  保持部
２４  ストッパ
２５  突部
【図１】
2008113628.tif 000003
【図２】
2008113628.tif 000004
【図３】
2008113628.tif 000005